(57)【要約】【課題】電線の振動により発生する応力が１箇所に集中してしまうことをなくすことにより、振動する電線の破断発生を防止するようにして、破断の発生なく電線をカバーすることのできるカバー部材を提供すること。【解決手段】配電線Ｄに導通接続して持たせる状態にした引下線ｄを当該配線線と共にカバーするカバー部材１０であって、配電線と共に引下線の持たせ箇所を覆うカバー本体１１と、該カバー本体から延長方向に引き出される引下線の引き出し箇所を覆う延長カバー３１と、を備えており、延長カバーは、カバー本体の引出口２２に一端部を取り付けられて弾性変形可能な蛇腹管により作製されている。【選択図】図６
2009005468.tif 000002
【特許請求の範囲】
【請求項１】
振れの少ない固定電線に持たせる状態にして該固定電線の延長方向と異なる方向に延長させる延長電線の持たせ箇所を当該固定電線と共にカバーするカバー部材であって、
固定電線と共に延長電線の持たせ箇所を覆うカバー本体と、該カバー本体から延長方向に引き出される延長電線の引き出し箇所を覆う延長カバーと、を備えており、
延長カバーは、弾性変形可能な筒状部材により作製されてカバー本体の引出口に一端部を取り付けられていることを特徴とするカバー部材。
【請求項２】
前記延長カバーは、ゴム管、蛇腹管、あるいは、スパイラル状に巻かれた線状部材により構成されていることを特徴とする請求項１に記載のカバー部材。
【請求項３】
前記延長カバーは、両端部間に連続するスリットが形成されていることを特徴とする請求項１または２に記載のカバー部材。
【請求項４】
前記カバー本体は、固定電線に沿う外面側にヒンジ部が形成されているとともに該固定電線と延長電線の引出口間の外面に割りが入れられて開閉可能に設計されており、当該割りの入れられた外面の端辺から外方に延長されている延長片同士を対面・圧接させることにより互いに係合する係合手段が形成されていることを特徴とする請求項１から３のいずれかに記載のカバー部材。
【請求項５】
前記固定電線が電柱などに架線されている配電線であるのに対して延長電線が該配電線から分岐させた引下線という組み合わせ、あるいは、固定電線が該配電線から分岐された後に引き留め固定されて垂下されている垂下引下線であるのに対して延長電線が当該配電線から分岐されて引き止め固定されている引留引下線の組み合わせであることを特徴とする請求項１から４のいずれかに記載のカバー部材。
【発明の詳細な説明】
【技術分野】
【０００１】
本発明は、例えば、電柱に架線されている配電線から引下線を分岐させる分岐箇所を保護するために取り付けるカバー部材に関し、詳しくは、その分岐箇所から延長させている電線の振れを制限して断線の発生を防止することのできるものに関する。
【背景技術】
【０００２】
従来、図８に示すように、電柱１００に架線されている配電線Ｄから引下線ｄを分岐させて変圧器２００に接続する場合などには、その配電線Ｄの絶縁被覆を剥ぎ取って引下線ｄをコネクタＣにより導通接続することが行われており、そのコネクタＣ周りの分岐箇所には絶縁性を確保するための保護カバーが取り付けられる（例えば、特許文献１参照）。
【０００３】
この種の引下線ｄは、図９に示すように、コネクタＣ付近に荷重などの負荷が集中して破断などしてしまわないように、保護カバー３００の外部に引き出した後に配電線Ｄに巻き付けることにより折り返す状態にして引き下げるようにしている。
【特許文献１】特開２００３−７０１４４号公報
【発明の開示】
【発明が解決しようとする課題】
【０００４】
しかしながら、このような従来の引下線ｄにあっては、配電線Ｄに巻き付けている折り返し箇所以降が自由に揺動することができることから、風等によって全体が一体となって振動してしまい、金属疲労がその折り返し箇所付近に発生して断線してしまう恐れがある。
【０００５】
また、同様に、図１０および図１１に示すように、電柱１００に架線されている配電線Ｄから分岐させた引下線ｄを一旦引留碍子４０１に巻き掛けてバインド線４０２により束ねた後に配線することも行われており、この場合にも、配電線Ｄとの間に張力を与えないように分岐されて引留碍子４０１に引き留め固定されている引留引下線ｄ１が、その引留碍子４０１から変圧器２００などに接続される垂下引下線ｄ２よりも自由に揺動することができることから、風等によって振動してしまい金属疲労がその引き留め個所付近に発生して断線してしまう恐れがある。
【０００６】
そこで、本発明は、電線の振動により発生する応力が１箇所に集中してしまうことをなくすことにより、振動する電線の破断発生を防止するようにして、破断の発生なく電線をカバーすることのできるカバー部材を提供することを目的とする。
【課題を解決するための手段】
【０００７】
上記課題を解決するカバー部材の第１の発明は、振れの少ない固定電線に持たせる状態にして該固定電線の延長方向と異なる方向に延長させる延長電線の持たせ箇所を当該固定電線と共にカバーするカバー部材であって、固定電線と共に延長電線の持たせ箇所を覆うカバー本体と、該カバー本体から延長方向に引き出される延長電線の引き出し箇所を覆う延長カバーと、を備えており、延長カバーは、弾性変形可能な筒状部材により作製されてカバー本体の引出口に一端部を取り付けられていることを特徴とするものである。前記延長カバーとしては、例えば、ゴム管、蛇腹管、あるいは、スパイラル状に巻かれた線状部材により構成することができる。
【０００８】
この発明では、延長電線は固定電線に支持されているとともに引出口から延長方向に延在する延長カバーに保持されつつ振動する。したがって、延長電線は弾性変形する延長カバーとともに揺動することになり、延長カバーの引出口側よりも先端側を大きく揺動されることにより応力集中を発生させることなく振れる。
【０００９】
上記課題を解決するカバー部材の第２の発明は、上記第１の発明の特定事項に加え、前記延長カバーは、両端部間に連続するスリットが形成されていることを特徴とするものである。
【００１０】
この発明では、延長電線は予め延長カバー内に挿通させた状態にすることなく、固定電線に接続した後でも、スリットから延長カバー内に内装させて挿通させた状態にすることができる。したがって、作業手順を制限することなく、カバー部材を固定電線と延長電線に取り付けることができ、容易に作業を行うことができる。
【００１１】
上記課題を解決するカバー部材の第３の発明は、上記第１または第２の発明の特定事項に加え、前記カバー本体は、固定電線に沿う外面側にヒンジ部が形成されているとともに該固定電線と延長電線の引出口間の外面に割りが入れられて開閉可能に設計されており、当該割りの入れられた外面の端辺から外方に延長されている延長片同士を対面・圧接させることにより互いに係合する係合手段が形成されていることを特徴とするものである。
【００１２】
この発明では、カバー本体はヒンジ部を中心にして引出口側の割りを開くことにより固定電線や延長電線を内装可能に内部を開放することができ、固定電線や延長電線に被せた後にその引出口側の割りを閉じて外面端辺から外方に延長されている延長片同士を対面・圧接させるだけで係合閉止させて取付固定することができる。したがって、このカバー部材は、絶縁性の確保されているヤットコなどの道具を用いて固定電線や延長電線を内装するように被せた後に、延長片同士を摘まむなどして対面・圧接させることにより取付固定することができ、近年に導入している間接活線工法でも取り付けることができる。
【００１３】
上記課題を解決するカバー部材の第４の発明は、上記第１から第３のいずれかの発明の特定事項に加え、前記固定電線が電柱などに架線されている配電線であるのに対して延長電線が該配電線から分岐させた引下線という組み合わせ、あるいは、固定電線が該配電線から分岐された後に引き留め固定されて垂下されている垂下引下線であるのに対して延長電線が当該配電線から分岐されて引き止め固定されている引留引下線の組み合わせであることを特徴とするものである。
【００１４】
この発明では、応力集中を発生させるような振れることの少ない配電線や垂下引下線をカバー本体内に内装するとともに、そこから分岐する状態に延長されている配電線からの引下線や、垂下引下線からの引留引下線を延長カバー内に内装・保持することができ、これらの引下線に応力集中が発生することを防止することができる。
【発明の効果】
【００１５】
このように本発明によれば、応力集中を発生させるような振れの少ない固定電線に持たせて支持させている延長電線の延長方向側（延長カバーの先端側）を大きく揺動させることができ、固定電線への持たせ箇所付近に応力集中が発生してしまうことを防止することができる。したがって、固定電線から分岐させた状態で延長されている延長電線に断線が発生することを少なくすることができ、停電等の事故を未然に防止して復旧作業を少なくすることができる。
【発明を実施するための最良の形態】
【００１６】
以下、本発明の最良の実施形態を図面に基づいて説明する。図１〜図６は本発明に係るカバー部材の第１実施形態を示す図である。
【００１７】
図１において、カバー部材１０は、例えば、図８に示す電柱１００に架線されている配電線ＤにコネクタＣ（図９を参照）により導通接続することによって持たせる状態にしつつ分岐させた引下線（延長電線）ｄの導通接続箇所を内装するカバー本体１１と、このカバー本体１１に取り付けて引き出す引下線ｄを挿通状態にする延長カバー３１と、を備えており、カバー本体１１は、絶縁性を有する硬質の樹脂材料を成形することにより作製される一方、延長カバー３１は、絶縁性を有する軟質の樹脂材料を成形することにより作製されている。
【００１８】
カバー本体１１は、図２に示すように、図９に示す従来技術の保護カバー３００と同様に、配電線Ｄを引き出す引出口１２、１３が両端部に形成されており、この引出口１２、１３間の一辺側（図中、上側）にヒンジ部１４が形成されているとともに、そのヒンジ部１４の両端側から他辺側（図中、下側）は開閉可能に割り形状に形成されている。
【００１９】
これにより、カバー部材１０は、ヒンジ部１４を中心にカバー本体１１の図２の紙面に対する表裏側をそれぞれ離隔方向に回動させることによりその内部を開放することができる。
【００２０】
このカバー本体１１の引出口１２は、図３に示すように、内部を開放して内装した配電線Ｄの一端側を引出可能に開口しているとともに、その外被に密接するように弾性変形する複数片のクチバシ形状１２ａが形成されており、引出口１３は、同様に、その配電線Ｄの他端側を引き出すとともにコネクタＣにより導通接続した引下線ｄを一緒に引出可能に開口しているとともに、それぞれの外被に密接するように弾性変形する複数片のクチバシ形状１３ａが形成されている。
【００２１】
また、カバー本体１１は、ヒンジ部１４の対辺側（他辺側）が外方に延長されて互いに対面接触する延長片１５が形成されており、その延長片１５の中央付近には、より外方に把持可能に延長されて互いに対面接触する把持対面部１６が形成されているとともに、この把持対面部１６の両側には、同様に外方に延長されて互いに対面接触して係合する係合対面部１７が形成されている。この係合対面部１７は、互いに対面する一面側に断面矢印形状に形成されている突起部１８が形成されおり、他面側にはその突起部１８の先端部１８ａを差込可能に弾性変形した後にその先端部１８ａの通過後に弾性復帰するように十字形状に開口する差込部１９が形成されている。すなわち、この係合対面部１７の突起部１８と差込部１９は、この差込部１９内に突起部１８の先端部１８ａを差し込んで十字形状内で係合させることができ、互いに係合する係合手段を構成している。
【００２２】
これにより、カバー部材１０は、例えば、図４に示すヤットコ５０を用いて、電気的に安全な遠隔位置から作業する間接活線工法により、配電線Ｄの引下線ｄとのコネクタＣによる分岐箇所にカバー本体１１を取り付けて保護する作業を行うことができる。具体的には、カバー本体１１は、ヒンジ部１４により拡開する状態のまま把持対面部１６の一方を把持して配電線Ｄの引下線ｄとのコネクタＣによる分岐箇所を覆うように被せることによりその分岐箇所を内部に内装する状態にした後に、配電線Ｄと引下線ｄがそれぞれ引出口１２、１３のクチバシ形状１２ａ、１３ａ内に位置するようにしつつ、別個のヤットコ５０を用いて係合対面部１７同士を摘まんで突起部１８の先端部１８ａを差込部１９内に差し込んで係合させることにより閉じることができる。この後には、カバー本体１１は、引出口１２、１３のクチバシ形状１２ａ、１３ａに絶縁テープなどを巻くことにより絶縁性を確保することができ、互いに対面接触する延長片１５の幅により沿面距離（電気的な絶縁性確保する離隔距離）を確保することができる。
【００２３】
ここで、ヤットコ５０は、対象物を掴む把持部５１と、作業者が把持して支持する支持棒５２と、伝達棒５３を介して操作力を伝達することにより把持部５１を操作するハンドル５４と、を備えている。このヤットコ５０は、支持棒５２に固設されている把持部５１の不動部材５１ａに対して、ハンドル５４を操作することにより伝達棒５３に連結されている可動部材５１ｂを回動軸５１ｃを中心に回動させることにより、対象物などを掴むことができる。なお、このヤットコ５０は、掴む側からの水分を滴下させる傘カバー５５と、掴む側からの絶縁性を考慮して安全に作業を行い得る限界位置を示す傘カバー５６とを備えて、概略全体をプラスチックやゴム材料などの絶縁材料で作製されることにより絶縁性が確保されている。
【００２４】
さらに、カバー本体１１は、一方の係合対面部１７の内側隣接箇所に延長カバー３１を内部に差込可能に設計されており、該当する箇所の本体部下面１１ａ側と延長片１５までに、ハサミなどにより容易に切り取り可能に薄肉（ミシン目としてもよい）に成形された切取線２１を形成することにより、引出口２２を開口させることができるように作製されている（図６を参照）。
【００２５】
延長カバー３１は、図５に示すように、両端部の開口する、所謂、蛇腹管（筒状部材）に形成されることにより、長さ方向に対して全体を弾性変形させて横方向に揺動可能に作製されており、その一端側には、カバー本体１１の本体部下面１１ａに開口する引出口２２と平行になるように蛇腹部３２の延長方向に対して傾斜するとともに、その引出口２２よりも大きな外形に形成されているフランジ形状部３３が一体成形されている。
【００２６】
これにより、カバー部材１０は、図６に示すように、カバー本体１１の切取線２１を予め切断して引出口２２を開口させておくことにより、延長カバー３１内に挿通するとともにコネクタＣにより配電線Ｄに導通接続した引下線ｄをその引出口２２から引き出すことができ、その延長カバー３１のフランジ形状部３３をカバー本体１１内に位置させつつ蛇腹部３２がその引出口２２内に位置するようにヤットコ５０により把持してそのカバー本体１１を閉じることにより、カバー本体１１の本体部下面１１ａから延長されている状態の延長カバー３１内に引下線ｄを内装する状態で引き下げることができる。
【００２７】
したがって、引下線ｄは、配電線ＤにコネクタＣにより導通接続されて支持されて（もたれて）いるとともに、引出口２２から下方に延在する延長カバー３１内に保持される状態で振動することができ、この延長カバー３１は、フランジ形状部３３側がカバー本体１１側に固定されている状態で先端部３２ａが自由に揺動することができることから、その引下線ｄの全体を変形させつつ大きく揺動させることができる。
【００２８】
このように本実施形態においては、電柱１００に架設されて応力集中を発生させるような振れの少ない配電線Ｄに持たせて支持させている引下線ｄを、延長方向側に延長カバー３１と共に大きく揺動させることができ、カバー本体１１内のコネクタＣ付近などのその引下線ｄに応力集中が発生してしまうことを防止することができる。したがって、配電線Ｄから分岐させて支持・延長されている引下線ｄに断線が発生することを少なくすることができ、停電等の事故を未然に防止して復旧作業を少なくすることができる。
【００２９】
ここで、本実施形態の他の態様としては、図示することは省略するが、本実施形態のように延長カバーとして蛇腹管を採用するのではなく、例えば、所望の強度を有する硬質のゴム管にしてもよく、または、スパイラル状に周回するスプリング形状に形成されている線状部材を用いてもよい。この場合にも、本実施形態と同様の作用効果を得ることができる。
【００３０】
次に、図７は本発明に係るカバー部材の第２実施形態を示す図である。ここで、本実施形態は、上述実施形態と略同様に構成されていることから、同様な構成には、同一の符号を付して特徴部分を説明する。
【００３１】
図７において、延長カバー４１は、上述実施形態における延長カバー３１に代えて、カバー部材１０のカバー本体１１に取り付けることができるように設計されており、この延長カバー４１は、同様に、引下線ｄを挿通状態にしてカバー本体１１内から引き出すことができるように、絶縁性を有する軟質の樹脂材料を成形することにより作製されている。
【００３２】
この延長カバー４１は、蛇腹部３２の先端部３２ａからフランジ形状部３３まで連続するスリット４２が形成されており、このスリット４２を拡開することにより内部に引下線ｄを内装して挿通状態にすることができるように設計されている。このスリット４２は、蛇行することにより両側の湾曲凸形状４２ａと湾曲凹形状４２ｂが互いに組み合う形状に形成されており、フランジ形状部３３側には、そのフランジ形状部３３自体に引下線ｄよりも大きく離隔する斜面３３ａが形成されているとともに、その斜面３３ａから連続して開口する開口部４２ｃが形成されている。
【００３３】
これにより、カバー部材１０は、配電線Ｄに接続されている状態の引下線ｄであっても、カバー本体１１の引出口２２に取り付けた状態（接着剤などにより固定した状態にしてもよい）の延長カバー４１のフランジ形状部３３の斜面３３ａ間に、その引下線ｄをヤットコ５０により把持しつつ差し込むことにより、その斜面３３ａに連続する開口部４２ｃからスリット４２（湾曲凸形状４２ａと湾曲凹形状４２ｂ）を開くようにして内部に進入させることができる。この後には、上述実施形態と同様にカバー本体１１を閉じることにより、カバー本体１１の本体部下面１１ａに取り付けられている延長カバー４１内に引下線ｄを内装する状態で引き下げることができる。
【００３４】
このとき、カバー部材１０の延長カバー４１は、スリット４２の湾曲凸形状４２ａと湾曲凹形状４２ｂが互いに接近して蛇行する状態で組み合っているので、内部の引下線ｄを湾曲凸形状４２ａ側で支えることができ、故意に引き出すように操作しない限り、内部で振動する引下線ｄがスリット４２間に進入してしまうことを制限することができる。なお、この延長カバー４１は、蛇腹部３２の先端部３２ａをテープ巻きなどしても良いことは言うまでもない。
【００３５】
このように本実施形態においては、上述実施形態による作用効果に加えて、延長カバー４１のカバー本体１１への取付作業や引下線ｄの挿通作業の順序を規定する必要がなく、容易に作業することができる。
【００３６】
ここで、本実施形態の他の態様としては、図示することは省略するが、上述実施形態と同様に、蛇腹管に代えて、例えば、所望の強度を有する硬質のゴム管にスリット４２を形成してもよいことは言うまでもない。この場合にも、本実施形態と同様の作用効果を得ることができる。なお、スプリング形状の線状部材にした場合には、その線材自体を弾性変形させつつその線材間から引下線ｄを内部に進入させて挿通状態にすることができる。
【００３７】
また、上述実施形態では、図８に示すように、電柱１００に架線されている配電線Ｄに分岐接続する引下線ｄとの導通接続箇所を内装する場合を一例に説明するが、これに限るものではなく、例えば、図１０および図１１に示すように、配電線Ｄに導通接続する引下線ｄを引留碍子４０１に巻き掛けて引き下げた状態にする箇所にも適用することができる。具体的には、その引留碍子４０１に引き留め固定されている引留引下線ｄ１を上述実施形態における引下線ｄとして延長カバー３１、４１内に挿通させるとともに、その引留碍子４０１から変圧器２００などに接続される垂下引下線ｄ２を上述実施形態における配電線Ｄとしてカバー本体１１の引出口１２、１３から引き出すように内装して取り付けることもできる。この場合にも、引留碍子４０１と変圧器２００に接続されて応力集中を発生させるような振れの少ない垂下引下線ｄ２に対して、引留引下線ｄ１を延長カバー３１、４１内に挿通させることにより全体を大きく揺動させることができ、引留碍子４０１付近などで応力集中を発生させてしまうことを防止することができる。
【産業上の利用可能性】
【００３８】
これまで本発明の一実施形態について説明したが、本発明は上述の実施形態に限定されず、その技術的思想の範囲内において種々異なる形態にて実施されてよいことは言うまでもない。
【図面の簡単な説明】
【００３９】
【図１】本発明に係るカバー部材の第１実施形態を示す図であり、その概略全体構成を示す平面図である。
【図２】その要部部品のカバー本体を示す平面図である。
【図３】その使用例を示す平面図である。
【図４】その取付時に利用する道具を示す平面図である。
【図５】その要部部品の延長カバーを示す平面図である。
【図６】そのカバー本体に延長カバーを組み付けた状態を示す一部切欠平面図である。を示す平面図である。
【図７】本発明に係るカバー部材の第２実施形態の要部部品の延長カバーを示す図であり、（ａ）はその平面図、（ｂ）はそのＡ矢視図である。
【図８】その取付箇所を説明する立面図である。
【図９】その取付箇所の説明をする透視正面図である。
【図１０】その他の取付箇所を説明する立面図である。
【図１１】その取付箇所で使用する部材の説明をする正面図である。
【符号の説明】
【００４０】
１０……カバー部材    １１……カバー本体    １１ａ……本体部下面    １２、１３、２２……引出口    １２ａ、１３ａ……クチバシ形状    １４……ヒンジ部    １５……延長片    １６……把持対面部    １７……係合対面部    １８……突起部    １８ａ……先端部    １９……差込部    ２１……切取線    ３１、４１……延長カバー    ３２……蛇腹部    ３２ａ……先端部    ３３……フランジ形状部    ３３ａ……斜面    ４２……スリット    ４２ａ……湾曲凸形状    ４２ｂ……湾曲凹形状    ４２ｃ……開口部    ５０……ヤットコ    ５１……把持部    ５２……支持棒    ５３……伝達棒    ５４……ハンドル    ５５、５６……傘カバー    １００……電柱    ２００……変圧器    ４０１……引留碍子    ４０２……バインド線    Ｃ……コネクタ    Ｄ……配電線    ｄ……引下線    ｄ１……引留引下線    ｄ２……垂下引下線
【図１】
2009005468.tif 000003
【図２】
2009005468.tif 000004
【図３】
2009005468.tif 000005
【図４】
2009005468.tif 000006
【図５】
2009005468.tif 000007
【図６】
2009005468.tif 000008
【図７】
2009005468.tif 000009
【図８】
2009005468.tif 000010
【図９】
2009005468.tif 000011
【図１０】
2009005468.tif 000012
【図１１】
2009005468.tif 000013